(57)【要約】【課題】建築物の外壁面の目地部を流れる雨水を水切りして外壁面の汚染を防止する簡素な構成の建築物外壁面の汚染防止装置及びこれに用いる部材を得る。【解決手段】本体部２に、建築物の外壁面７の目地部８を伝わる雨水を集水する集水部４と、集水した雨水を該目地部８から離間させて落下させる水切り部５と、該本体部２を該目地部８に取り付けるための取付部６とが設けられている建築物外壁面の汚染防止部材１を提供する。【選択図】  図２
2004251025.tif 000002
【特許請求の範囲】
【請求項１】
本体部に、建築物の外壁面の目地部を伝わる雨水を集水する集水部と、集水した雨水を該目地部から離間させて落下させる水切り部と、該本体部を該目地部に取り付けるための取付部とが設けられていることを特徴とする建築物外壁面の汚染防止部材。
【請求項２】
上記集水部は、上方に拡開する可撓性の拡開部を備え、上記汚染防止部材が目地部に取り付けられた時、該拡開部は該目地部の目地幅に縮小して嵌合するように構成されていることを特徴とする請求項１記載の建築物外壁面の汚染防止部材。
【請求項３】
上記取付部は、該取付部の背面にアリ溝が形成され、上記目地部の目地材の未硬化時に該取付部を該目地材に圧接して、該アリ溝内に該目地材を侵入させ、該目地材の硬化を待って該取付部が該目地部に固着されるように構成されて成ることを特徴とする請求項１又は２記載の建築物外壁面の汚染防止部材。
【請求項４】
上記取付部は、該取付部の所定箇所に少なくとも１つの孔が開穿され、上記目地部の目地材の未硬化時に該取付部を該目地材に圧接して、該孔に該目地材を侵入させ、且つ、該孔外に漏出させ、更に、漏出した該目地材を該孔径よりも大に成形し、該目地材の硬化を待って該取付部を該目地部に固着するように構成されて成ることを特徴とする請求項１又は２記載の建築物外壁面の汚染防止部材。
【請求項５】
本体部に、建築物の外壁面の目地部を伝わる雨水を集水する集水部と、集水した雨水を該目地部から離間させて落下させる水切り部と、該本体部を該目地部に取り付けるための取付部とが設けられて成る建築物外壁面の汚染防止部材であって、該汚染防止部材を建築物の外壁面の目地部に取り付け、該汚染防止部材によって該目地部を伝わる雨水を該目地部から離間させて落下させることにより、該目地部から建築物の外壁面への雨水の流下を規制し、該外壁面の汚染を防止するように構成したことを特徴とする建築物外壁面の汚染防止装置。
【発明の詳細な説明】
【０００１】
【発明の属する技術分野】
この発明は、建築物外壁面の汚染防止装置及びこれに用いる部材に関するものであり、特に、建築物の外壁面の目地部を伝わる雨水を集水し、集水した雨水を該目地部から離間させて落下させ、該目地部から建築物の外壁面への雨水の流下を規制し、建築物の外壁面の汚染の防止を図った建築物外壁面の汚染防止装置及びこれに用いる部材に関するものである。
【０００２】
【従来の技術および発明が解決しようとする課題】
従来の此種建築物の汚染防止装置として、アンテナ等を支える支索を伝わる雨水が破風板を伝って破風板を汚染したり、雨だれとして下階の庇に落下して騒音を発生することを防止する雨だれ防止具が知られている（特許文献１参照。）。
【０００３】
該雨だれ防止具は、軸方向に延びる切れ目が形成された円筒体によって前記支索に着脱自在に形成され、該円筒体の周面に突設された水切りによって雨水を落下させるように構成されている。
【０００４】
然しながら、前記雨だれ防止具はアンテナ等を支える支索を伝わる雨水を水切りして破風板の汚染を防止すると共に、雨だれとして下階の庇に落下して騒音が発生することを防止するもので、その用途が限定されており、例えば、建築物の外壁面の汚染を防止する汚染防止装置としては不適である。
【０００５】
建築物の外壁面の汚染は、その清掃作業が広い面積にわたって危険な高所作業になる等、極めて困難であるため、可及的に汚染を減少させて、清掃作業回数を減らし、又は、清掃作業をなくすことが望まれている。
【０００６】
建築物の外壁面の汚染源は外壁面に付着した塵埃等や、ガラス周りに施工されているシリコンシーリング材が発生するシリコンオイル等であり、該塵埃及びシリコンオイル等が雨水と共に流れることにより外壁面の汚染が発生する。
【０００７】
そこで、建築物の外壁面の目地部を流れる雨水を水切りして外壁面の汚染を防止する簡素な構成の建築物外壁面の汚染防止装置及びこれに用いる部材を得るために解決すべき技術的課題が生じてくるのであり、本発明はこの課題を解決することを目的とする。
【０００８】
【特許文献１】
特開平１０−１２１６７２号公報  （第１−８頁、第１−８図）
【０００９】
【課題を解決するための手段】
本発明は上記目的を達成するために提案されたものであり、本体部に、建築物の外壁面の目地部を伝わる雨水を集水する集水部と、集水した雨水を該目地部から離間させて落下させる水切り部と、該本体部を該目地部に取り付けるための取付部とが設けられている建築物外壁面の汚染防止部材、
及び、上記集水部は、上方に拡開する可撓性の拡開部を備え、上記汚染防止部材が目地部に取り付けられた時、該拡開部は該目地部の目地幅に縮小して嵌合するように構成されている建築物外壁面の汚染防止部材、
及び、上記取付部は、該取付部の背面にアリ溝が形成され、上記目地部の目地材の未硬化時に該取付部を該目地材に圧接して、該アリ溝内に該目地材を侵入させ、該目地材の硬化を待って該取付部が該目地部に固着されるように構成されて成る建築物外壁面の汚染防止部材、
及び、上記取付部は、該取付部の所定箇所に少なくとも１つの孔が開穿され、上記目地部の目地材の未硬化時に該取付部を該目地材に圧接して、該孔に該目地材を侵入させ、且つ、該孔外に漏出させ、更に、漏出した該目地材を該孔径よりも大に成形し、該目地材の硬化を待って該取付部を該目地部に固着するように構成されて成る建築物外壁面の汚染防止部材、
並びに、本体部に、建築物の外壁面の目地部を伝わる雨水を集水する集水部と、集水した雨水を該目地部から離間させて落下させる水切り部と、該本体部を該目地部に取り付けるための取付部とが設けられて成る建築物外壁面の汚染防止部材であって、該汚染防止部材を建築物の外壁面の目地部に取り付け、該汚染防止部材によって該目地部を伝わる雨水を該目地部から離間させて落下させることにより、該目地部から建築物の外壁面への雨水の流下を規制し、該外壁面の汚染を防止するように構成した建築物外壁面の汚染防止装置を提供するものである。
【００１０】
【発明の実施の形態】
以下、本発明の一実施の形態を図１乃至図５に従って詳述する。図１に於て、１はゴム又は合成樹脂で成形された建築物外壁面の汚染防止部材であり、該汚染防止部材１は、後部２ａａから前部２ａｂへと傾斜するＵ字溝２ａが形成されたＵ字形状の本体部２の左右上端に上方に拡開する可撓性の左右拡開部３，３を備えた集水部４が設けられ、該本体部２の前端に水切り部５が垂設され、該本体部２の背面には該本体部２の背面を被蔽する如く略平板状の取付部６が固着され、該取付部６の背面に上下２つのアリ溝６ａ，６ａが形成されている。
【００１１】
図２は前記汚染防止部材１が建築物の外壁面７の目地部８に施工された状態を示し、該目地部８にペースト状の目地材８ａが施工されて硬化する前に該汚染防止部材１の取付部６を該目地材８ａに圧接し、該取付部６に形成された前記アリ溝６ａ，６ａ内に該目地材８ａを侵入させ、該目地材８ａの硬化を待って該目地部８に該取付部６及び該汚染防止部材１が固着される。そして、該汚染防止部材１が該目地部８に固着されて取り付けられることにより汚染防止装置９が構成される。
【００１２】
尚、汚染防止部材１が取り付けられた時、前記集水部４の前記拡開部３，３は前記目地部８の目地幅に縮小して嵌合する。又、前記汚染防止部材１が該目地部８に取り付けられた状態で、前記水切り部５によって水切りされて落下する雨水が前記目地部８及び建築物の外壁面７にかからないように、前記Ｕ字溝２ａが形成された前記本体部２の長さは所定長さに設定されている。
【００１３】
而して、前記目地部８を伝ってくる雨水は該目地部８から前記汚染防止装置９を構成する汚染防止部材１の取付部６を伝い、或いは、前記左右拡開部３，３を備えた集水部４によって効率良く集水され、前記本体部２の傾斜するＵ字溝２ａに入り、該Ｕ字溝２ａの後部２ａａから前部２ａｂへと流れ、該前部２ａｂから前記水切り部５を伝って下方に落下し、所謂水切りされて、図に示す如く、滴下しながら飛散していく。
【００１４】
従って、雨水は前記汚染防止部材１によって水切りされて落下するため、該汚染防止部材１の下方の目地部８を流れる雨水がなくなり、或いは減少し、該目地部８から雨水が漏出して建築物の外壁面７を流下することがなく、該外壁面７を汚染させることがない。
【００１５】
図３は前記汚染防止部材１をサッシ窓の下枠１０等の目地部１１に施工した状態を示し、該目地部１１にペースト状の目地材１１ａが施工されて硬化する前に該汚染防止部材１の取付部６を該目地材１１ａに圧接して、該取付部６に形成された前記アリ溝６ａ，６ａに該目地材１１ａを侵入させ、該目地材１１ａの硬化を待って該目地部１１に該取付部６及び該汚染防止部材１が固着されたものである。そして、該汚染防止部材１が該目地部１１に固着されて取り付けられることにより汚染防止装置１２が構成されている。
【００１６】
尚、この時、前記集水部４の前記拡開部３，３は前記目地部１１の目地幅に縮小して嵌合する。又、前記汚染防止部材１を該目地部１１に取り付けた状態で、前記水切り部５によって水切りされて落下する雨水が前記目地部１１及び建築物の外壁面７にかからないように、前記Ｕ字溝２ａが形成された前記本体部２の長さは所定長さに設定されている。
【００１７】
而して、前記目地部１１を伝ってくる雨水は該目地部１１から前記汚染防止装置１２の取付部６を伝って前記本体部２のＵ字溝２ａに入り、該Ｕ字溝２ａの後部２ａａから前部２ａｂへと流れ、該前部２ａｂから前記水切り部５を伝って下方に落下し、所謂水切りされて、図に示す如く、滴下しながら飛散していく。
【００１８】
従って、雨水は前記汚染防止装置１２によって落下するため、該汚染防止装置１２の下方の目地部１１を流れる雨水がなくなり、或いは、減少し、該目地部１１から雨水が漏出して建築物の外壁面７を流下することがなく、該外壁面７を汚染させることがない。
【００１９】
図４は建築物の外壁面７の目地部８に前記汚染防止部材１，１が取り付けられて汚染防止装置９，９が形成され、且つ、ガラス窓１３，１３の下枠１０，１０の目地部１１に汚染防止部材１が取り付けられて汚染防止装置１２が形成された状態を示す。
【００２０】
そして、該目地部８を流れる雨水は２つの汚染防止装置９，９によって該目地部８から離間して落下し、所謂、水切りされて、該目地部８の下方に流れる雨水がなくなり、或いは、減少し、該目地部８から雨水が漏出して建築物の外壁面７を流下することがなく、該外壁面７を汚染させることがない。
【００２１】
又、ガラス窓１３，１３から下枠１０，１０の目地部１１を流れる雨水は前記汚染防止装置１２によって該目地部１１から離間して落下し、該目地部１１の下方に流れる雨水がなくなり、或いは、減少し、該目地部１１から雨水が漏出して建築物の外壁面７を流下することがなく、該外壁面７を汚染させることがない。
【００２２】
尚、前記汚染防止装置９及び１２は施工する建築物に応じて、適宜箇所に、適宜個数設けられる。
【００２３】
斯くして、前記汚染防止装置９及び１２は前述したように、目地部を流れる雨水を該目地部から離間させて落下させることにより、建築物の外壁面の汚染を防止できると共に、該汚染防止装置９及び１２を構成する前記汚染防止部材１は簡素な構成で、製作、及び、取り付けが極めて容易であり、且つ、取り付けも確実である利点がある。
【００２４】
図５は他の汚染防止部材１４を示し、該汚染防止部材１４は前記汚染防止部材（図１に於て１）の取付部（図１に於て６）に代えて、取付部１５を設けたものであり、該取付部１５は略平板状に形成されて前記汚染防止部材１４の本体部２の背面を被蔽する如く固着され、該取付部１５の上方中央部に上下２つの孔１６，１６が開穿されている。
【００２５】
而して、該汚染防止部材１４を目地部８に取り付ける時は、該目地部８の目地材８ａが施工されて未硬化時に、前記取付部１５を該目地材８ａに押圧し、該目地材８ａを前記孔１６，１６内に侵入させ、且つ、該孔１６，１６前方に漏出させ、漏出した該目地材８ａを該孔１６，１６の孔径よりも大に成形して、ボルトの頭部状に形成する。
【００２６】
そして、該目地材８ａが硬化すると該目地材８ａは前記取付部１５を前記目地部８に固着し、前記汚染防止部材１４は該目地部８に固着される。
【００２７】
該汚染防止部材１４も前記汚染防止部材（図１に於て１）と略同様の効果が期待できる。
【００２８】
尚、前記汚染防止部材１及び１４は目地材、接着剤又は釘等の固着手段を用いることによって建築物の目地部以外の他の箇所に取り付け、前述と同様の効果を得ることも可能である。
【００２９】
又、本発明は、本発明の精神を逸脱しない限り種々の改変を為すことができ、そして、本発明が該改変されたものに及ぶことは当然である。
【００３０】
【発明の効果】
本発明は上記一実施の形態に詳述したように、請求項１記載の発明は、本体部に、建築物の外壁面の目地部を伝わる雨水を集水する集水部と、集水した雨水を該目地部から離間させて落下させる水切り部と、該本体部を該目地部に取り付けるための取付部とが設けられている建築物外壁面の汚染防止部材であるので、該汚染防止部材によって建築物の雨水を集水し、且つ、集水した雨水を該目地部から離間させて落下させることができると共に、該汚染防止部材は簡素な構成であり、製作、及び、取り付けも極めて容易である。
【００３１】
又、請求項２記載の発明は、上記集水部は、上方に拡開する可撓性の拡開部を備え、上記汚染防止部材が目地部に取り付けられた時、該拡開部は該目地部の目地幅に縮小して嵌合するように構成されているので、請求項１記載の発明の効果に加え、該拡開部は目地部に嵌合して効率良く雨水を集水することができる。
【００３２】
更に又、請求項３記載の発明は、上記取付部は、該取付部の背面にアリ溝が形成され、上記目地部の目地材の未硬化時に該取付部を該目地材に圧接して、該アリ溝内に該目地材を侵入させ、該目地材の硬化を待って該取付部が該目地部に固着されるように構成されているので、請求項１又は２記載の発明の効果に加え、前記アリ溝によって前記取付部を容易、且つ、確実に目地部に取り付けることができる。
【００３３】
そして、請求項４記載の発明は、上記取付部は、該取付部の所定箇所に少なくとも１つの孔が開穿され、上記目地部の目地材の未硬化時に該取付部を該目地材に圧接して、該孔に該目地材を侵入させ、且つ、該孔外に漏出させ、更に、漏出した該目地材を該孔径よりも大に成形し、該目地材の硬化を待って該取付部を該目地部に固着するように構成されているので、請求項３記載の発明と略同様の効果が期待できる。
【００３４】
又、請求項５記載の発明は、本体部に、建築物の外壁面の目地部を伝わる雨水を集水する集水部と、集水した雨水を該目地部から離間させて落下させる水切り部と、該本体部を該目地部に取り付けるための取付部とが設けられて成る建築物外壁面の汚染防止部材であって、該汚染防止部材を建築物の外壁面の目地部に取り付けた建築物外壁面の汚染防止装置であるので、該汚染防止装置によって該目地部を伝わる雨水を該目地部から離間させて落下させることにより、該目地部から建築物の外壁面への雨水の流下を規制し、該外壁面の汚染を防止することができる等、正に著大なる効果を奏する発明である。
【図面の簡単な説明】
【図１】（ａ）本発明の一実施の形態を示し、汚染防止部材の正面図。
（ｂ）本発明の一実施の形態を示し、汚染防止部材の平面図。
（ｃ）本発明の一実施の形態を示し、汚染防止部材の側面図。
【図２】（ａ）本発明の一実施の形態を示し、外壁面の目地部に施工された汚染防止装置の正面図。
（ｂ）本発明の一実施の形態を示し、外壁面の目地部に施工された汚染防止装置の側面縦断面図。
【図３】本発明の一実施の形態を示し、ガラス窓の下枠の目地部に施工された汚染防止装置の側面縦断面図。
【図４】本発明の一実施の形態を示し、汚染防止装置が施工された建築物の外壁面及びガラス窓の正面図。
【図５】（ａ）本発明の他の実施の形態を示し、外壁面の目地部に施工された汚染防止装置の正面図。
（ｂ）本発明の他の実施の形態を示し、外壁面の目地部に施工された汚染防止装置の側面縦断面図。
【符号の説明】
１，１４        汚染防止部材
２              本体部
３              拡開部
４              集水部
５              水切り部
６，１５        取付部
６ａ            アリ溝
７              外壁面
８，１１        目地部
８ａ，１１ａ    目地材
９，１２        汚染防止装置
１６              孔
【図１】
2004251025.tif 000003
【図２】
2004251025.tif 000004
【図３】
2004251025.tif 000005
【図４】
2004251025.tif 000006
【図５】
2004251025.tif 000007